(57)【要約】【課題】コンクリート布基と住宅構造物の土台の中間に基礎土台パッキンを配置し、床下の換気、基礎と土台の緊結、住宅の防振を確保し簡単確実に施工できる住宅基礎パッキンを提供すること。【解決の手段】正方形からなる基礎パッキンは、主要樹脂本体と突起部を設けた弾性体ゴムパッドを組合せ、主要樹脂本体の下面に突起ゴムを設けて緊結力を高め基礎パッキンを確実に定めた位置に固定する。【選択図】　　　図１
0003099051.tif 000002
【実用新案登録請求の範囲】
【請求項１】
１本考案は土台基礎パッキングであり、コンクリート基礎と建築構造物の土台の中間に敷き込んで使用する。２下面が主要樹脂、上面が弾性体のゴムで成り立っている。以上の構成を有する建築構造体及び基礎に使用する弾性体付きパッキン。
【請求項２】
１本体を構成する主要樹脂パッキンを上部の外周部に弾性体ゴムが容易に且つ効果的に装着できるように段部を設ける。２弾性体ゴム表面に本体のズレや滑りが生じないように丸凸状の突起部を設けた。以上の構成を有する建築構造体及び基礎に使用する弾性体付きパッキン。
【請求項３】
主要樹脂パッキン下部のコンクリート接地面には弾性体ゴムの密着機能及び防振機能を保つため突起部を設けた。以上の構成を有する建築構造体及び基礎に使用する弾性体付きパッキン。
【考案の詳細な説明】
【０００１】
【考案の属する技術分野】
本考案は、住宅の基礎もしくはコンクリート布基礎と土台の間に敷き込んで使用することで、基礎上に載置される土台を本体の上面に装着されたゴムパッドもしくは弾性体のもつ反発弾性力、密着機能で強固に基礎と土台を緊結し、また振動や音を軽減する機能持つ弾性体付きパッキンである。
【０００２】
【従来の技術】
従来、基礎パッキン工法は基礎と土台に樹脂成型された板状のパッキンを挟み込んで床下換気及び湿気による土台の防腐が主たる目的である。樹脂製パッキンは固体物で形成されており、土台の乾燥による木やせから生じるアンカーボルトの緩みやガタつきを軽減する機能を持たない。また、樹脂製パッキンの固体物だけでは、防振機能が無いので基礎に伝わる振動や音を軽減する機能を持たない。また、従来の樹脂製パッキンは施工時に基礎コンクリート上に敷き込んだ場合、滑りやすく樹脂パッキンの上部に突起を施し土台に食い込ませて滑りを防止させるよう工夫されていた。
【０００３】
樹脂パッキンの他にゴムや鋼製を利用した弾性体による基礎パッキンがあり、これらも同様に床下換気機能や土台の湿気を防止する効果を持つ。
【０００４】
【考案が解決しようとする課題】
従来の技術で述べたとおり樹脂成型された板状のパッキンは、床下換気及び湿気による土台の防腐が主たる目的であるため樹脂成型された固体物で構成されている。この樹脂成型されたパッキンすなわち固体物を使用しているだけでは、長期にわたる土台の乾燥による土台部の木やせが発生した場合、アンカーボルトなどの緩みを防止することができない。
【０００５】
従来の樹脂成型の板状パッキンは固体物なので、基礎を通じて建物本体へ伝わってくる振動や音を防振することができない。すなわち、居住環境や建築物構造体への振動や音の負荷を軽減する効果が無い。
【０００６】
従来の樹脂製パッキンはコンクリート基礎上で滑りやすく、パッキンが基礎上面から落下しないように注意深く作業しなければならず時間と労力を要した。
【０００７】
本体の樹脂部上面にゴムパッドもしくは弾性体を装着する場合、一般的な接着剤による接合や突起のダボを使用したものだけでは施工時の締め付け圧力により簡単にズレたり脱落したりする可能性がある。
【０００８】
【課題を解決するための手段】
本考案は弾性体付きパッキンであることから、本体上部に組み込まれた弾性体のもつ反発弾性力で基礎から土台を押し上げる力が常時作用し、乾燥による土台の木やせが生じた場合でも土台のがたつきやアンカーボルトの緩みを軽減することができる。この効果により従来の樹脂製の固体パッキンと異なり長期にわたり基礎と土台を強固に緊結できる。
【０００９】
従来の樹脂パッキンは防振効果が皆無なのに対し、本品は本体の上面に防振ゴムパッドを装着されていて、基礎を通じて建物本体へ伝わってくる振動や音を防振することができ居住環境を良好に保てる。
【００１０】
本体の底面に組み込まれた弾性体もしくはゴム突起は、本体が基礎コンクリート上に敷き込まれる時にすべらないようにするために設けられている滑り防止機能である。通常、基礎パッキン工法では、パッキンを敷き込むときに土台のとおりを出すため土台を木槌で補正する。この時、叩きによる振動で樹脂パッキンが飛び跳ねて基礎上からはみ出したり落下することがあるが、本品の滑り止め機能があるため防止でき施工性が優れている。
【００１１】
建築構造や工法の違いにより部分的に大きな荷重や居住環境により予期しない重量などが本体の敷き込み部の土台に架かる場合において、本体を構成する樹脂固体部分の持つ圧縮による変位しにくい効果を利用し不測の荷重に対する圧縮量を抑える。
【００１２】
本体を構成する樹脂パッキン外周部にゴムパッドもしくは弾性体が装着できる段部を設けることにより、上面から本体を覆いかぶせるようにして簡単にズレたり脱落しないように工夫されている。この手法は接着剤による接合や突起のダボを使用したものとは異なり装着状態が最良になるように構成されている。
【００１３】
【考案の実施の形態】
考案の実施の形態については図面を参照して説明する。図１、図２において、主要樹脂本体（１）の上面に装着された部分は弾性体もしくはゴムパッドを用い、反発弾性力及び防振機能を持つ素材で構成されている。厚みは１．０ｍｍ〜５．０ｍｍ程度の肉厚を有し、その上面に突起部分（３）を持ち防振機能をより効果的に発揮できるような形状に形成されている。
【００１４】
主要樹脂本体（１）は、上面部分の弾性体ゴムパッド（２）とで構成されている。この主要樹脂本体（１）の上面部分外周に弾性体ゴムバッド（２）が容易にセットできるよう縁部分（４）を設け、弾性体ゴムパッド（２）の周囲にも段部（５）を設けた。この弾性体ゴムバッド（２）は主要樹脂本体（１）に被せるようにして装着させる。
【００１５】
主要樹脂本体（１）の厚みは１８．０ｍｍ〜２０．０ｍｍ程度の肉厚を有し、図２の中央にはアンカーボルトが貫通できるように十字型にアンカーボルト（６）用の穴を設けた。
【００１６】
図３において主要樹脂本体（１）の底面には滑り止め用のゴムの突起が埋め込まれるように突起穴（７）が空いている。本体底面からゴムの突起部分、突起ゴム（８）まで２．０ｍｍ〜４．０ｍｍ程度の長さが露出するよう構成されていて、本体を基礎上に敷き込み土台を締め付けた状態では、主要樹脂本体（１）に突起ゴム（８）が押し込まれるように形成されている。
【００１７】
【考案の効果】
本考案は上述の通り構成されているので、次に記載する効果を奏でる。
【００１８】
請求項１のものは基礎と土台に敷き込んで床下換気を行う機能に加え、本体上面に装着された弾性体が持つ反発伝勢力により土台の乾燥による木やせから生じる緩みを軽減し基礎と土台を効果的に緊結できることや弾性体の持つ防振機能により建築物の基礎に伝わる振動や音を軽減し居住環境を良好に保てる効果を発揮できる。
【００１９】
請求項３のものは、本体上部のゴムパッドもしくは弾性体が持つ素材と形状によって反発弾性力及び防振効果を発揮でき、土台のガタつき及び建築構造体への負荷を軽減でき建築物の耐久性と居住性を向上することができる。
【００２０】
請求項２のものは底面部に弾性体もしくはゴム突起を設けることによって本品の使用時に本体がすべりもしくはズレが生じない効果が有り施工性が優れていて極めて便利である。
【図面の簡単な説明】
【図１】本考案の側面図である。
【図２】本考案の斜視図である。
【図３】主要樹脂本体底部の斜視図である。
【図４】突起ゴムの斜視図である。
【符号の説明】
１、　主要樹脂本体
２、　弾性体ゴムパッド
３、　突起部
４、　縁部分
５、　段部
６、　アンカーボルト穴
７、　突起穴
８、　突起ゴム
【図１】
0003099051.tif 000003
【図２】
0003099051.tif 000004
【図３】
0003099051.tif 000005
【図４】
0003099051.tif 000006
【手続補正書】
【提出日】平成15年8月18日(2003.8.18)
【手続補正１】
【補正対象書類名】明細書
【補正対象項目名】実用新案登録請求の範囲
【補正方法】変更
【補正の内容】
【実用新案登録請求の範囲】
【請求項１】
コンクリート基礎と建築構造物の土台の中間に敷き込んで使用するパッキンで、下部が主要樹脂、上部が弾性体のゴムから成り立っている弾性体付パッキンである。
【請求項２】
上部の外周部に弾性体ゴムが容易に且つ効果的に装着できるよう段部を設けた主要樹脂からなる本体と、本体のズレや滑りが生じないよう丸凸状の突起部を上面に設けた弾性体からなる、建築構造体の基礎に使用する弾性体付パッキン。
【請求項３】
主要樹脂本体の下部、すなわちコンクリート接地面に突起ゴムを、本体上面には弾性体ゴ厶パッドが装着され、それぞれ密着機能及び防振機能を有する建築構造体及び基礎に使用する弾性体付パッキン。
【手続補正２】
【補正対象書類名】明細書
【補正対象項目名】図面の詳細な説明
【補正方法】変更
【補正の内容】
【図面の簡単な説明】
【図１】本考案の平面図（上面視図）である。
【図２】弾性体ゴムパッドの側面図である。
【図３】本考案の側面図である。
【図４】主要樹脂本体の底面の平面図である。
【図５】主要樹脂本体の側面図である。
【図６】突起ゴムの斜視図である。
【符号の説明】
１、主要樹脂本体
２、弾性体ゴムパッド
３、突起部
４、縁部分
５、段部
６、アンカーボルト穴
７、突起穴
８、突起ゴム


【手続補正３】
【補正対象書類名】図面
【補正対象項目名】全図
【補正方法】変更
【補正の内容】
【図１】
0003099051.tif 000007
【図２】
0003099051.tif 000008
【図３】
0003099051.tif 000009
【図４】
0003099051.tif 000010
【図５】
0003099051.tif 000011
【図６】
0003099051.tif 000012